(57)【特許請求の範囲】
【請求項１】
紙を主成分とする低燃焼熱成分と、燃焼熱が前記紙のそれよりも高い熱可塑性合成樹脂を主成分とする高燃焼熱成分とから構成され、それら成分を混和して得られる成形加工用の紙含有樹脂組成物において、
前記低燃焼熱成分が、５０μｍ以上かつ２００μｍ以下の粒径を有する紙パウダーを主成分とし、５μｍ以上かつ１５０μｍ以下の粒径を有する澱粉と、酸化チタン、タルク、炭酸カルシウム、硫酸カルシウム、硫酸バリウム、カオリンのうちの少なくとも一つの粉状無機物とを含有し、
前記澱粉が、前記低燃焼熱成分のうちの１０重量％以上かつ２５重量％以下を占め、前記無機物が、前記低燃焼熱成分のうちの１重量％以上かつ２５重量％以下を占め、前記紙パウダーと前記澱粉と前記無機物との重量％が、紙パウダー＞澱粉、又は、紙パウダー＞澱粉＋無機物のいずれかの関係にあり、
前記組成物が、５０重量％を超過しかつ７０重量％以下の前記低燃焼熱成分と、３０重量％以上かつ５０重量％未満の前記高燃焼熱成分とを含有し、前記組成物における前記低燃焼熱成分と前記高燃焼熱成分との重量％が、低燃焼熱成分＞高燃焼熱成分の関係にあることを特徴とする成形加工用の紙含有樹脂組成物。
【発明の詳細な説明】
【０００１】
【発明の属する技術分野】
本発明は、射出成形や押出し成形、溶融圧縮成形等の成形加工に使用する成形加工用の紙含有樹脂組成物に関する。
【０００２】
【従来の技術】
熱可塑性合成樹脂を主成分とした成形加工用の樹脂組成物は公知である。組成物は、射出成形や押出し成形、溶融圧縮成形等の技術を利用してシートや容器等の成形品に加工される。廃棄された成形品は、清掃工場の焼却炉で焼却されるが、合成樹脂は、単位重量当たりの燃焼熱が高く、焼却炉を痛める原因となっている。成形品の燃焼熱を下げる手段として、組成物に紙を含有させる技術がある。
【０００３】
組成物に紙を含有させるものとして、特開平１０−１３８２４１号公報は、両面又は片面に主としてポリエチレン樹脂層を有する複合紙を細断して得られる細断紙成分と、低密度ポリエチレン、リニア低密度ポリエチレン、中密度ポリエチレンのうちの少なくとも１つの樹脂と高密度ポリエチレン、メタロセン−ポリエチレンのうちの少なくとも１つの樹脂とのうちのいずれか一方を細断して得られる細断樹脂成分とを混練して得られる紙含有樹脂ペレットを開示している。
【０００４】
紙含有樹脂ペレットは、５０重量％以上の紙成分含有率を有し、紙細断成分の比重と細断樹脂成分の比重との差分が±０．０５〜±０．１６ｇ／ｃｍ３の範囲にある。紙含有樹脂ペレットは、両面又は片面に樹脂層を有する細断紙成分を使用することで、紙成分と樹脂成分とを混練したときにそれら成分が均一に分散することができ、それら成分のペレットにおける偏り分散を防ぐことができる。紙含有樹脂ペレットは、１ｍｍ角〜５ｍｍ角に細断された細断紙成分と１ｍｍ角〜５ｍｍ角に細断された細断樹脂成分とが混練機で加熱、混練された後、押出し機で押し出して製造される。
【０００５】
【発明が解決しようとする課題】
同号公報に開示の紙含有樹脂ペレットは、１ｍｍ角〜５ｍｍ角の細断紙成分を使用しているために紙成分が短繊維状のまま樹脂成分と混練され、かつ、紙成分含有率が５０重量％以上と過半を占めるので、加熱しても流動性を示さない紙成分が樹脂成分の流動性を妨害してしまう。
【０００６】
ペレットの製造時では、押出し機のシリンダ内に進入した紙成分と樹脂成分とのうち、樹脂成分はシリンダ内で溶融して流動するが、紙成分が樹脂成分の流動を妨げるので、溶融した樹脂成分が円滑に押出し機からダイへ向かって流動することができない場合がある。また、紙成分と樹脂成分と混練するときに、押出し機のスクリュと紙成分との摩擦によって剪断発熱が生じ、紙成分が熱で劣化してしまうことがある。
【０００７】
製造された紙含有樹脂ペレットを射出成形に用いる場合では、紙含有樹脂の流動抵抗が高くかつ固化し易いために、紙含有樹脂を高温、高圧、高速で射出させる必要がある。しかし、樹脂の溶融温度が約１９０℃を超えると樹脂に含まれている紙成分が熱分解を起こしてしまうので、温度をそれ以上に上げることができない。樹脂を高圧、高速で型内に流入させると、射出成形機や型が損傷してしまうことがある。
【０００８】
本発明の課題は、燃焼熱が低く、かつ、良好な流動性を有し、組成物の製造時では、押出し機からダイへ円滑に流動することができ、組成物を使用した射出成形では、組成物を高温、高圧、高速で射出させる必要がなく、シートや容器等の成形品を製造することができる成形加工用の紙含有樹脂組成物を提供することにある。
【０００９】
【課題を解決するための手段】
前述した課題を解決するための本発明は、紙を主成分とする低燃焼熱成分と、燃焼熱が前記紙のそれよりも高い熱可塑性合成樹脂を主成分とする高燃焼熱成分とから構成され、それら成分を混和して得られる成形加工用の紙含有樹脂組成物を改良することにある。
【００１０】
本発明の成形加工用の紙含有樹脂組成物は、紙を主成分とする低燃焼熱成分と、燃焼熱が前記紙のそれよりも高い熱可塑性合成樹脂を主成分とする高燃焼熱成分とから構成され、それら成分を混和して得られる成形加工用の紙含有樹脂組成物において、
前記低燃焼熱成分が、５０μｍ以上かつ２００μｍ以下の粒径を有する紙パウダーを主成分とし、５μｍ以上かつ１５０μｍ以下の粒径を有する澱粉と、酸化チタン、タルク、炭酸カルシウム、硫酸カルシウム、硫酸バリウム、カオリンのうちの少なくとも一つの粉状無機物と少なくとも澱粉とを含有し、
前記澱粉が、前記低燃焼熱成分のうちの１０重量％以上かつ２５重量％以下を占め、前記無機物が、前記低燃焼熱成分のうちの１重量％以上かつ２５重量％以下を占め、前記紙パウダーと前記澱粉と前記無機物との重量％が、紙パウダー＞澱粉、又は、紙パウダー＞澱粉＋無機物のいずれかの関係にあり、
前記組成物が、５０重量％を超過しかつ７０重量％以下の前記低燃焼熱成分と、３０重量％以上かつ５０重量％未満の前記高燃焼熱成分とを含有し、前記組成物における前記低燃焼熱成分と前記高燃焼熱成分との重量％が、低燃焼熱成分＞高燃焼熱成分の関係にあることを特徴とする。
【００１４】
【発明の実施の形態】
本発明にかかる成型加工用の紙含有樹脂組成物の詳細を説明すると、以下のとおりである。
（１）一例として示す成形加工用の紙含有樹脂組成物（以下、第１組成物という。）は、紙パウダーを主成分とする低燃焼熱成分と、燃焼熱が紙パウダーのそれよりも高い熱可塑性合成樹脂を主成分とする高燃焼熱成分とから構成されている。第１組成物には、低燃焼熱成分を形成する紙パウダーが５０重量％を超過しかつ７０重量％以下の範囲、高燃焼熱成分を形成する合成樹脂が３０重量％以上であって５０重量％未満の範囲で含まれており、第１組成物における合成樹脂と紙パウダーとの重量％が紙パウダー＞合成樹脂の関係にある。
【００１５】
紙パウダーは、広葉樹パルプと針葉樹パルプとのうちの少なくとも一方を原料としてそれらパルプを粉状に粉砕したセルロース主体のものと、古紙を粉状に粉砕したものとのうちのいずれか一方、または、両者を配合したものである。広葉樹パルプや針葉樹パルプを原料とした紙パウダーは、リグニン成分が１％以下のものを使用することが好ましく、古紙を原料とした紙パウダーは、セルロース成分が９５重量％以上含まれていることが好ましい。紙パウダーは、その粒径が５０μｍ以上であって２００μｍ以下の範囲、好ましくは、７５μｍ以上であって１５０μｍ以下の範囲にある。
【００１６】
合成樹脂は、低密度ポリエチレン、リニア低密度ポリエチレン、中密度ポリエチレン、高密度ポリエチレン、メタロセン−ポリエチレン、ブロック重合ポリプロピレン、ランダム重合ポリプロピレン、ホモ重合ポリプロピレン、メタロセン−ポリプロピレン、オレフィン系エラストマー、エチレンビニルアセテート共重合体、エチレンエチルアクリレート共重合体、ポリスチレン、スチレン−アクリロニトリル共重合体（ＡＳ樹脂）、ポリブタジエン−スチレン−アクリロニトリルグラフト共重合体（ＡＢＳ樹脂）、ナイロンとのうちのいずれか１種類、または、それら樹脂を２種類以上配合したものである。
【００１７】
紙パウダーが７０重量％を超過し、かつ、合成樹脂が３０重量％未満の場合では、加熱しても流動性を示さない紙パウダーが合成樹脂の流動性を著しく低下させてしまうので、組成物において良好な流動性を得ることが難しい。紙パウダーが５０重量％未満、かつ、合成樹脂が５０重量％を超過する場合では、高燃焼熱成分である合成樹脂が組成物の過半を占めるので、紙パウダーの低燃焼熱成分としての作用が合成樹脂によって妨げられ、組成物の燃焼熱をわずかに低下させることができるにすぎない。
【００１８】
紙パウダーの粒径が５０μｍ未満の場合では、パルプや古紙を５０μｍ未満の粒径に加工するために複数の工程を必要とするので、紙パウダーの生産コストが高くなってしまう。その結果、組成物や組成物を使用した成形品の生産コストが上昇することになる。
【００１９】
紙パウダーの粒径が２００μｍを超過する場合では、紙パウダーが合成樹脂の中で分散不良を起こし、紙パウダーが合成樹脂中に嵩高な継粉を形成する場合があり、嵩高な継粉によって組成物の流動性が著しく低下してしまうことがある。
【００２０】
第１組成物の１００重量％のうちには、紙成分として粒径が５０μｍ≦粒径≦２００μｍの範囲にある紙パウダーを５０重量％＜紙パウダー≦７０重量％の範囲で含有しているので、組成物の燃焼熱を下げることができるとともに、組成物が良好な流動性を有する。
（２）他の一例として示す紙含有樹脂組成物（以下、第２組成物という。）は、紙パウダーを主成分とする低燃焼熱成分と、熱可塑性合成樹脂を主成分とし、熱可塑性の改質成分を含有する高燃焼熱成分とから構成されている。第２組成物には、低燃焼熱成分を形成する紙パウダーが５０重量％を超過しかつ７０重量％以下の範囲、高燃焼熱成分を形成する合成樹脂と改質成分との混合物が３０重量％以上であって５０重量％未満の範囲で含まれている。紙パウダーと合成樹脂とは、第１組成物のそれらと同一のものである。
【００２１】
改質成分は、合成樹脂と相互に親和性を有するもので、合成樹脂と混合物を形成し、合成樹脂の流動性を向上させることができる。また、改質成分は、合成樹脂と紙パウダーとを接着するバインダーとしての作用を有する。改質成分は、高燃焼熱成分の全重量％のうち、３重量％以上であって２０重量％以下を占めている。改質成分は、メルトフローインデックスが１０〜２５ｇ／１０分の範囲にある。
【００２２】
改質成分は、熱可塑性エラストマー、スチレン−ブタジエンラバー、ブタジエンラバー、水素添加スチレン−ブタジエンラバー、スチレン−エチレンブチレン・オレフィン結晶ブロックコポリマー、オレフィン結晶・エチレンブチレン・オレフィン結晶ブロックコポリマーのうちのいずれか１種類、または、それらを２種類以上配合したものである。
【００２３】
水素添加スチレン−ブタジエンラバー、スチレン−エチレンブチレン・オレフィン結晶ブロックコポリマー、オレフィン結晶・エチレンブチレン・オレフィン結晶ブロックコポリマーそれぞれは、エチレンとブテン−１とから形成されたランダム性の高い共重合体であり、ポリマー分子中に二重結合を持たず、かつ、低結晶性で柔軟性のある透明性の高いポリオレフィン系熱可塑性合成樹脂である。
【００２４】
改質成分が３重量％未満、かつ、改質成分のメルトフローインデックスが１０ｇ／１０分未満の場合は、改質成分が十分に作用せず、組成物の流動性を向上させることができない。改質成分が２０重量％を超過し、かつ、改質成分のメルトフローインデックスが２５ｇ／１０分を超過する場合は、組成物が必要以上に軟質化されてしまうので、組成物が十分な硬度を得ることができない。また、組成物の引張り強さと引裂強度とが低下してしまう。
（３）他の一例として示す紙含有樹脂組成物（以下、第３組成物という。）は、紙パウダーを主成分とし、澱粉を含有する低燃焼熱成分と、熱可塑性合成樹脂を主成分とする高燃焼熱成分とから構成されている。第３組成物には、低燃焼熱成分を形成する紙パウダーと澱粉との混合物が５０重量％を超過しかつ７０重量％以下の範囲、高燃焼熱成分を形成する合成樹脂が３０重量％以上であって５０重量％未満の範囲で含まれている。紙パウダーと合成樹脂とは、第１組成物のそれらと同一のものである。
【００２５】
澱粉は、焼却時の燃焼熱が紙パウダーのそれよりも低い。ゆえに、組成物に澱粉を加えることで、組成物の燃焼熱を一層低下させることができる。澱粉は、低燃焼熱成分の全重量％のうち、１０重量％以上であって２５重量％以下を占め、紙パウダーと澱粉との重量％が紙パウダー＞澱粉の関係にある。澱粉は、その粒径が５μｍ以上であって１５０μｍ以下の範囲にある。
【００２６】
澱粉が１０重量％未満の場合は、澱粉の組成物に及ぼす影響が十分ではなく、組成物の燃焼熱を低下させる効果が少ない。澱粉が２５重量％を超過する場合は、合成樹脂や紙パウダーの発火点よりも澱粉のそれが高いので、組成物の発火点が上昇し、組成物を燃焼させるときに強い火力を用いなければならなくなってしまう。
【００２７】
澱粉の粒径が５μｍ未満の場合では、澱粉を５μｍ未満の粒径に加工するために複数の工程を必要とするので、使用する澱粉の生産コストが高くなってしまう。澱粉の粒径が１５０μｍを超過する場合は、澱粉が合成樹脂の中で分散不良を起こし、澱粉が合成樹脂中に嵩高な継粉を形成する場合があり、嵩高な継粉によって組成物の流動性が著しく低下してしまうことがある。
（４）他の一例として示す紙含有樹脂組成物（以下、第４組成物という。）は、紙パウダーを主成分とし、粉状無機物を含有する低燃焼熱成分と、熱可塑性合成樹脂を主成分とする高燃焼熱成分とから構成されている。第４組成物には、低燃焼熱成分を形成する紙パウダーと無機物との混合物が５０重量％を超過しかつ７０重量％以下の範囲、高燃焼熱成分を形成する合成樹脂が３０重量％以上であって５０重量％未満の範囲で含まれている。紙パウダーと合成樹脂とは、第１組成物のそれらと同一のものである。
【００２８】
無機物は、低燃焼熱成分の全重量％のうち、１重量％以上であって２５重量％以下を占め、紙パウダーと無機物との重量％が、紙パウダー＞無機物の関係にある。無機物は、酸化チタン、タルク、炭酸カルシウム、硫酸カルシウム、硫酸バリウム、カオリンのうちのいずれか１種類、または、それら無機物を２種類以上配合したものである。無機物は不燃性なので、組成物に無機物を加えることで、組成物の燃焼熱を一層低下させることができる。
【００２９】
無機物が１重量％未満の場合は、無機物が十分に作用せず、組成物の燃焼熱を低下させる効果が少ない。無機物が２５重量％を超過する場合は、組成物の塑性や延性、耐衝撃性が極端に低下してしまうことがある。
（５）他の一例として示す紙含有樹脂組成物（以下、第５組成物という。）は、紙パウダーを主成分とし、澱粉を含有する低燃焼熱成分と、熱可塑性合成樹脂を主成分とし、改質成分を含有する高燃焼熱成分とから構成されている。第５組成物には、低燃焼熱成分を形成する紙パウダーと澱粉との混合物が５０重量％を超過しかつ７０重量％以下の範囲、高燃焼熱成分を形成する合成樹脂と改質成分との混合物が３０重量％以上であって５０重量％未満の範囲で含まれている。紙パウダー、澱粉、合成樹脂、改質成分は、第１〜第３組成物のそれらと同一のものである。
【００３０】
改質成分は、高燃焼熱成分の全重量％のうち、３重量％以上であって２０重量％以下を占めている。澱粉は、低燃焼熱成分の全重量％のうち、１０重量％以上であって２５重量％以下を占め、紙パウダーと澱粉との重量％が、紙パウダー＞澱粉の関係にある。
（６）他の一例として示す紙含有樹脂組成物（以下、第６組成物という。）は、紙パウダーを主成分とし、粒状無機物を含有する低燃焼熱成分と、熱可塑性合成樹脂を主成分とし、改質成分を含有する高燃焼熱成分とから構成されている。第６組成物には、低燃焼熱成分を形成する紙パウダーと無機物との混合物が５０重量％を超過しかつ７０重量％以下の範囲、高燃焼熱成分を形成する合成樹脂と改質成分との混合物が３０重量％以上であって５０重量％未満の範囲で含まれている。紙パウダー、無機物、合成樹脂、改質成分は、第１，第２，第４組成物のそれらと同一のものである。
【００３１】
改質成分は、高燃焼熱成分の全重量％のうち、３重量％以上であって２０重量％以下を占めている。無機物は、低燃焼熱成分の全重量％のうち、１重量％以上であって２５重量％以下を占め、紙パウダーと無機物との重量％が、紙パウダー＞無機物の関係にある。
（７）他の一例として示す紙含有樹脂組成物（以下、第７組成物という。）は、紙パウダーを主成分とし、澱粉と無機物とを含有する低燃焼熱成分と、熱可塑性合成樹脂を主成分とし、改質成分を含有する高燃焼熱成分とから構成されている。第７組成物には、低燃焼熱成分を形成する紙パウダーと澱粉と無機物との混合物が５０重量％を超過しかつ７０重量％以下の範囲、高燃焼熱成分を形成する合成樹脂と改質成分との混合物が３０重量％以上であって５０重量％未満の範囲で含まれている。紙パウダー、澱粉、無機物、合成樹脂、改質成分は、第１〜第４組成物のそれらと同一のものである。
【００３２】
改質成分は、高燃焼熱成分の全重量％のうち、３重量％以上であって２０重量％以下を占めている。澱粉は、低燃焼熱成分の全重量％のうち、１０重量％以上であって２５重量％以下を占めている。無機物は、低燃焼熱成分の全重量％のうち、１重量％以上であって２５重量％以下を占めている。紙パウダーと澱粉と無機物との重量％が、紙パウダー＞澱粉＋無機物の関係にある。
【００３３】
第５〜第７組成物において、それら組成物を構成する紙パウダー、澱粉、無機物、合成樹脂、改質成分それぞれの重量％を規定する理由は、第１〜第４組成物のそれらと同一である。第５〜第７組成物において、改質成分のメルトフローインデックスは、第１〜第４組成物のそれらと同一である。
【００３４】
改質成分、澱粉または無機物を含有する第５および第６組成物と改質成分、澱粉、無機物を含有する第７組成物とは、第１、第２組成物よりも組成物の燃焼熱を一層低下させることができるとともに、第１、第３、第４組成物よりも組成物の流動性を一層向上させることができる。
【００３５】
本実施の形態にかかる組成物は、第１、第３、第４組成物が１〜１０ｇ／１０分の範囲、第２、第５〜第７組成物が３〜１２ｇ／１０分の範囲のメルトフローインデックスを有する。第２、第５〜第７組成物は、高燃焼熱成分の全重量％のうち、改質成分を３重量％＜改質成分＜２０重量％の範囲で含有しているので、改質成分を含まない第１、第３、第４組成物よりもメルトフローインデックスの値が高くなる。
【００３６】
それら組成物のメルトフローインデックスは、第１〜第７組成物の温度を１９０℃、押出し圧力を１．２６／ｋｇ、押出し時間を１０分間とし、規定の直径および長さのオリフィスから押し出して測定した。
【００３７】
第１〜第７組成物は、それら組成物を構成する高燃焼熱成分と低燃焼熱成分とが混練機で加熱、混練された後、押出し機とダイとを使用してペレット状や板状、塊状に成形される。第１〜第７組成物は、射出成形や押出し成形、溶融圧縮成形等の技術を利用してシートや容器等の成形品に加工される。
【００３８】
古紙としては、新聞古紙や雑誌古紙、印刷古紙、包装古紙、段ボール古紙、ＯＡ古紙等を使用することができる。古紙は、古紙→離解→蒸煮→精選→洗浄分離→漂白→洗浄→脱インキの工程、古紙→選別→離解→精選→洗浄の工程等を経てパルプに再生される。
【００３９】
（実施例１）
低燃焼熱成分である紙パウダーと高燃焼熱成分である熱可塑性合成樹脂とを混和して試料を作成し、燃焼時の燃焼カロリー（ｋｃａＬ／ｋｇ）および燃焼灰分（試料１００ｇと試料を燃焼させたときの燃焼後の試料残量との比％）と流動性（Ｌ／Ｔ）とを測定した。実施例１では、紙パウダーとして粒径が１５０μｍのものと７５μｍのものとの２種類を使用し、合成樹脂としてポリプロピレンを使用した。
【００４０】
実施例１の試料としては、１５０μｍの粒径の紙パウダーと合成樹脂とを混和して得られた組成物の重量％を、紙パウダー（３０重量％）／合成樹脂（７０重量％）、紙パウダー（５１重量％）／合成樹脂（４９重量％）、紙パウダー（６０重量％）／合成樹脂（４０重量％）とした３種類と、７５μｍの粒径の紙パウダーと合成樹脂とを混和して得られた組成物の重量％を、紙パウダー（３０重量％）／合成樹脂（７０重量％）、紙パウダー（５１重量％）／合成樹脂（４９重量％）、紙パウダー（粒径６０重量％）／合成樹脂（４０重量％）とした３種類との計６種類を用意した。
【００４１】
なお、流動性（Ｌ／Ｔ）は、幅１０．０ｍｍ、厚み１．０ｍｍの流動フローテスト用の型を使用し、試料の温度１８５℃、射出圧力（１０００ｋｇ／ｃｍ２）の条件で測定した。ここで、Ｌは試料の流動距離を示し、Ｔは試料の厚みを示す。測定結果を以下の表１に示す。
【００４２】
【表１】
0004705215.tif 000002
【００４３】
（実施例２）
実施例２では、紙パウダーとして粒径が１５０μｍのものと７５μｍのものとの２種類を使用し、合成樹脂としてポリエチレンを使用した。実施例２の試料としては、１５０μｍの粒径の紙パウダーと合成樹脂とを混和して得られた組成物の重量％を、紙パウダー（３０重量％）／合成樹脂（７０重量％）、紙パウダー（５１重量％）／合成樹脂（４９重量％）、紙パウダー（６０重量％）／合成樹脂（４０重量％）とした３種類と、７５μｍの粒径の紙パウダーと合成樹脂とを混和して得られた組成物の重量％を、紙パウダー（３０重量％）／合成樹脂（７０重量％）、紙パウダー（５１重量％）／合成樹脂（４９重量％）、紙パウダー（６０重量％）／合成樹脂（４０重量％）とした３種類との計６種類を用意した。流動性（Ｌ／Ｔ）の測定条件は実施例１のそれと同一である。測定結果を以下の表２に示す。
【００４４】
【表２】
0004705215.tif 000003
【００４５】
実施例１と実施例２とからは、紙パウダーの重量％が３０重量％、合成樹脂の重量％が７０重量％の組成物の燃焼カロリーに対して、紙パウダーの重量％が５１重量％、合成樹脂の重量％が４９重量％と紙パウダーの重量％が６０重量％、合成樹脂の重量％が４０重量％との組成物の燃焼カロリーそれぞれが低下していることがわかる。但し、組成物のうち紙パウダーの重量％が多くなるにしたがって燃焼灰分が増えるとともに、流動性が低下する。実施例１と実施例２とにおける組成物の燃焼時では、白煙は発生したが黒煙は発生しなかった。また、燃焼ガスでは、ベンゼンやアンモニアは発生していない。
【００４６】
【発明の効果】
本発明に係る成形加工用の紙含有樹脂組成物によれば、組成物の焼却時における燃焼熱を下げることができるので、焼却炉を傷めることがない。組成物は、メルトフローインデックスが１〜１０ｇ／１０分の範囲にあり、優れた流動性を有するので、組成物の製造時において押出し機からダイへ円滑に流動することができる。組成物を使用した射出成形では、型内に組成物を高温、高圧、高速で射出させる必要がなく、シートや容器等の成形品を製造することができ、射出成形機や型を傷めてしまうことや組成物に含まれる紙パウダーが熱分解してしまうことを防ぐことができる。また、型内に組成物を円滑に充填することができ、型内におけるショートモールドの発生を防ぐことができる。
【００４７】
紙パウダーと熱可塑性合成樹脂とから構成された組成物では、組成物の焼却時における燃焼熱を下げることができ、良好な流動性を有する。紙パウダーと熱可塑性合成樹脂との他に、改質成分を加えた組成物では、紙パウダーと熱可塑性合成樹脂とから構成された組成物と比較して流動性を一層向上させることができる。紙パウダーと熱可塑性合成樹脂との他に、改質成分、澱粉、無機物を加えた組成物では、紙パウダーと熱可塑性合成樹脂とから構成された組成物と比較して流動性を一層向上させることができるとともに、組成物の燃焼熱を一層低下させることができる。
【００４８】
紙パウダーとして古紙を使用し、合成樹脂として廃材を使用する場合では、環境循環社会において資源を有効に利用することができ、省資源化を図ることができる。